(57)【特許請求の範囲】
【請求項１】
流体を吸入して圧送する電動ポンプ（２０）を取付対象部材（１０）に取り付ける取付構造であって、
前記取付対象部材（１０）に固定されているとともに、前記電動ポンプ（２０）の外周側に環状に配置される帯状の取付部材（３０）と、
前記電動ポンプ（２０）の外周側と前記取付部材（３０）の内周側との間に配置されて弾性変形可能な弾性部材（４０）とを有し、
前記取付部材（３０）が前記電動ポンプ（２０）の外周側に環状に配置されるとともに、前記弾性部材（４０）が前記電動ポンプ（２０）の外周側と前記取付部材（３０）の内周側との間に狭持された状態で、前記電動ポンプ（２０）が前記取付部材（３０）の内周側に保持されており、
前記電動ポンプ（２０）の外周表面には、前記電動ポンプ（２０）の外周側に向かって突出するポンプ部側突出部（２７、２８）が形成され、
前記弾性部材（４０）には、前記ポンプ部側突出部（２７、２８）に当接する弾性部材側当接部（４１、４２）が形成されているとともに、前記電動ポンプ（２０）の外周側に向かって突出する弾性部材側突出部（４３）が形成され、
前記取付部材（３０）には、前記弾性部材側突出部（４３）に当接する取付部材側当接部（３１ｅ、３２ｄ）が形成されており、
前記弾性部材側当接部は、前記弾性部材（４０）の表裏を貫通するように形成された穴部（４１）によって形成されており、
前記取付部材（３０）には、前記穴部（４１）に適合する切り欠き部（３１ｈ、３２ｇ）が設けられており、
前記ポンプ部側突出部（２７）が前記穴部（４１）に嵌め込まれるとともに、前記切り欠き部（３１ｈ、３２ｇ）により前記ポンプ部側突出部（２７）と前記取付部材（３０）との直接接触を防止するようになっていることを特徴とする電動ポンプの取付構造。
【請求項２】
前記穴部（４１）に嵌め込まれる前記ポンプ部側突出部は第１ポンプ部側突出部（２７）であり、前記第１ポンプ部側突出部（２７）とは別の第２ポンプ部側突出部（２８）が前記電動ポンプ（２０）の外周表面に設けられており、
前記弾性部材側当接部として、前記穴部（４１）の他に、前記弾性部材（４０）のうち前記電動ポンプ（２０）の軸方向に垂直な面（４２）が設けられており、
前記第２ポンプ部側突出部（２８）が前記軸方向に垂直な面（４２）に当接するようになっていることを特徴とする請求項１に記載の電動ポンプの取付構造。
【請求項３】
前記取付部材（３０）は、前記取付対象部材（１０）に固定されて前記電動ポンプ（２０）の外周形状に沿って湾曲した湾曲部材（３１）、および前記湾曲部材（３１）の両端部を連結する連結部材（３２）から構成され、
前記湾曲部材（３１）および前記連結部材（３２）が連結されることによって、前記取付部材（３０）が前記電動ポンプ（２０）の外周側に環状に配置されていることを特徴とする請求項１または２に記載の電動ポンプの取付構造。
【請求項４】
前記湾曲部材（３１）および前記連結部材（３２）の一端部同士は、ボルト（５０）を締め付けることによって連結され、
前記ボルト（５０）が締め付けられるに伴って、前記弾性部材（４０）が圧縮変形されることを特徴とする請求項３に記載の電動ポンプの取付構造。
【請求項５】
前記ボルト（５０）によって締め付けられることによって連結される前記湾曲部材（３１）の一端部（３１ｃ）および前記連結部材（３２）の一端部（３２ｂ）のうち少なくとも一方には、他方に仮固定される仮固定用爪部（３２ｅ）が形成されていることを特徴とする請求項４に記載の電動ポンプの取付構造。
【請求項６】
前記湾曲部材（３１）および前記連結部材（３２）の他端部同士は、前記湾曲部材（３１）の他端部（３１ｄ）および前記連結部材（３２）の他端部のうち少なくとも一方に設けられた係止用穴（３１ｇ）に、他方に設けられた係止用爪（３２ｃ）を係止することによって連結されていることを特徴とする請求項３ないし５のいずれか１つに記載の電動ポンプの取付構造。
【請求項７】
前記取付部材（３０）は、前記電動ポンプ（２０）の外周形状に沿って湾曲した環状を一体的に形成した１つの部材にて構成されていることを特徴とする請求項１または２に記載の電動ポンプの取付構造。
【請求項８】
前記取付部材（３０）および前記弾性部材（４０）は、互いに接合されて一体的に形成されていることを特徴とする請求項１ないし７のいずれか１つに記載の電動ポンプの取付構造。
【請求項９】
前記弾性部材（４０）のうち前記電動ポンプ（２０）側の面には、前記電動ポンプ（２０）側に向かって突出するように形成されたポンプ側接触部（４４）が設けられ、
さらに、前記弾性部材（４０）のうち前記取付部材（３０）側の面には、前記取付部材（３０）側に向かって突出するように形成された取付部材側接触部（４５）が設けられ、
前記ポンプ側接触部（４４）および前記取付部材側接触部（４５）は、前記電動ポンプ（２０）の軸方向に垂直な方向から見たときに、互いに重合しないように配置されていることを特徴とする請求項１ないし８のいずれか１つに記載の電動ポンプの取付構造。
【請求項１０】
前記弾性部材（４０）は、前記電動ポンプ（２０）の外周側と前記取付部材（３０）の内周側との間に配置された１つの円環状の部材にて構成されていることを特徴とする請求項１ないし９のいずれか１つに記載の電動ポンプの取付構造。
【発明の詳細な説明】
【技術分野】
【０００１】
本発明は、流体を吸入して圧送する電動ポンプを取付対象部材に取り付ける取付構造に関し、電動ポンプを車両へ取り付ける際に適用して有効である。
【背景技術】
【０００２】
従来、特許文献１に、インバータ等に冷却水を循環させる電動ポンプを、車両本体に固定されるポンプブラケットに取り付けるための取付構造が開示されている。この特許文献１の取付構造では、双方の面に複数のスタッドボルトが固定された中間プレートを用いて、一方の面のスタッドボルトに電動ポンプをナットにて締め付け固定し、他方の面のスタッドボルトにポンプブラケットをナットにて締め付け固定している。
【０００３】
この際、電動ポンプと中間プレートとの間および中間プレートとポンプブラケットとの間に、ゴム製の防振用ブッシュを介在させて、電動ポンプと中間プレートとを非接触状態とするとともに、中間プレートとポンプブラケットとを非接触状態としている。これにより、電動ポンプにて発生した振動がポンプブラケットを介して、車室内に伝わることを抑制している。
【先行技術文献】
【特許文献】
【０００４】
【特許文献１】特開２００６−１１２５１９号公報
【発明の概要】
【発明が解決しようとする課題】
【０００５】
しかしながら、特許文献１の取付構造では、中間プレートを用いて、電動ポンプをポンプブラケットに取り付けているので、電動ポンプと中間プレートとの取付工程および中間プレートとポンプブラケットとの取付工程の２つの取付工程が必要となり、電動ポンプを取付対象部材に取り付ける際の作業性が悪い。
【０００６】
上記点に鑑みて、本発明は、電動ポンプの振動が取付対象部材に伝達されることの抑制と、電動ポンプを取付対象部材に取り付ける際の作業性の向上との両立を図ることを目的とする。
【課題を解決するための手段】
【０００７】
上記目的を達成するため、請求項１に記載の発明では、流体を吸入して圧送する電動ポンプ（２０）を取付対象部材（１０）に取り付ける取付構造であって、
取付対象部材（１０）に固定されているとともに、電動ポンプ（２０）の外周側に環状に配置される帯状の取付部材（３０）と、電動ポンプ（２０）の外周側と取付部材（３０）の内周側との間に配置されて弾性変形可能な弾性部材（４０）とを有し、
取付部材（３０）が電動ポンプ（２０）の外周側に環状に配置されるとともに、弾性部材（４０）が電動ポンプ（２０）の外周側と取付部材（３０）の内周側との間に狭持された状態で、電動ポンプ（２０）が取付部材（３０）の内周側に保持されており、
電動ポンプ（２０）の外周表面には、電動ポンプ（２０）の外周側に向かって突出するポンプ部側突出部（２７、２８）が形成され、弾性部材（４０）には、ポンプ部側突出部（２７、２８）に当接する弾性部材側当接部（４１、４２）が形成されているとともに、電動ポンプ（２０）の外周側に向かって突出する弾性部材側突出部（４３）が形成され、取付部材（３０）には、弾性部材側突出部（４３）に当接する取付部材側当接部（３１ｅ、３２ｄ）が形成されており、弾性部材側当接部は、弾性部材（４０）の表裏を貫通するように形成された穴部（４１）によって形成されており、取付部材（３０）には、穴部（４１）に適合する切り欠き部（３１ｈ、３２ｇ）が設けられており、ポンプ部側突出部（２７）が穴部（４１）に嵌め込まれるとともに、切り欠き部（３１ｈ、３２ｇ）によりポンプ部側突出部（２７）と取付部材（３０）との直接接触を防止するようになっていることを特徴とする。
【０００８】
これによれば、取付対象部材（１０）に固定された取付部材（３０）を、電動ポンプ（２０）の外周側に巻き付けるように環状に配置するだけで、電動ポンプ（２０）を取付対象部材（１０）に取り付けることができる。従って、取付部材（３０）を電動ポンプ（２０）および取付対象部材（１０）の双方に取り付ける場合に対して、電動ポンプ（２０）を取付対象部材（１０）に取り付ける際の作業性を向上できる。
【０００９】
さらに、取付部材（３０）は電動ポンプ（２０）の外周側に環状に配置され、取付部材（３０）が電動ポンプ（２０）の外周形状に沿って湾曲しているので、電動ポンプ（２０）の自重あるいは取付部材（３０）と電動ポンプ（２０）との嵌合状態を利用して電動ポンプ（２０）を取付部材（３０）に仮保持することができる。
【００１０】
その結果、電動ポンプ（２０）を取付対象部材（１０）に取り付ける際の作業性を効果的に向上できる。
これに加え、請求項１に記載の発明では、弾性部材（４０）における弾性部材側当接部としての穴部（４１）にポンプ部側突出部（２７）を嵌め込むとともに、弾性部材（４０）の弾性部材側突出部（４３）を取付部材（３０）の取付部材側当接部（３１ｅ、３２ｄ）に当接させるようになっているから、電動ポンプ（２０）および取付部材（３０）の両者に対して、弾性部材（４０）の位置決めが容易になるとともに、電動ポンプ（２０）および取付部材（３０）の両者に対する弾性部材（４０）の位置ずれを防止することができる。この結果、電動ポンプ（２０）を取付対象部材（１０）に取り付ける際の作業性をより一層、効果的に向上できる。
また、ポンプ部側突出部（２７）を穴部（４１）に嵌め込むことにより、電動ポンプ（２０）を取付対象部材（１０）に取り付けた後も、電動ポンプ（２０）に対して、弾性部材（４０）および取付部材（３０）の位置がずれてしまうことを抑制できる。
【００１１】
さらに、弾性部材（４０）が電動ポンプ（２０）の外周側と取付部材（３０）の内周側との間に狭持されているので、電動ポンプ（２０）と取付部材（３０）とを非接触状態とすることができる。
しかも、弾性部材側当接部としての穴部（４１）に適合する切り欠き部（３１ｈ、３２ｇ）を取付部材（３０）に設け、この切り欠き部（３１ｈ、３２ｇ）によりポンプ部側突出部（２７）と取付部材（３０）との直接接触を防止するようになっている。
以上のことが相俟って、電動ポンプ（２０）の振動が取付部材（３０）に伝達されることを効果的に抑制できる。延いては、電動ポンプ（２０）の振動が取付部材（３０）を介して、取付対象部材（１０）に伝達されることを抑制できる。
【００１２】
その結果、電動ポンプ（２０）の振動が取付対象部材（１０）に伝達されることの抑制と、電動ポンプ（２０）を取付対象部材（１０）に取り付ける際の作業性の向上との両立を図ることができる。
【００１３】
請求項２に記載の発明では、請求項１に記載の電動ポンプの取付構造において、穴部（４１）に嵌め込まれるポンプ部側突出部は第１ポンプ部側突出部（２７）であり、この第１ポンプ部側突出部（２７）とは別の第２ポンプ部側突出部（２８）が電動ポンプ（２０）の外周表面に設けられており、弾性部材側当接部として、穴部（４１）の他に、弾性部材（４０）のうち電動ポンプ（２０）の軸方向に垂直な面（４２）が設けられており、第２ポンプ部側突出部（２８）が前記軸方向に垂直な面（４２）に当接するようになっていることを特徴とする。
これによれば、電動ポンプ（２０）を取付対象部材（１０）に取り付けた後も、電動ポンプ（２０）に対して、弾性部材（４０）および取付部材（３０）の位置が電動ポンプ（２０）の軸方向にずれてしまうことをより確実に抑制できる。
請求項３に記載の発明では、請求項１または２に記載の電動ポンプの取付構造において、取付部材（３０）は、取付対象部材（１０）に固定されて電動ポンプ（２０）の外周形状に沿って湾曲した湾曲部材（３１）、および湾曲部材（３１）の両端部を連結する連結部材（３２）から構成され、湾曲部材（３１）および連結部材（３２）が連結されることによって、取付部材（３０）が電動ポンプ（２０）の外周側に環状に配置されていることを特徴とする。
これによれば、電動ポンプ（２０）を湾曲部材（３１）に仮固定した状態で、湾曲部材（３１）および連結部材（３２）の両端部同士を連結できる。従って、電動ポンプ（２０）を取付対象部材（１０）に取り付ける際の作業性を効果的に向上できる。
請求項４に記載の発明では、請求項３に記載の電動ポンプの取付構造において、湾曲部材（３１）および連結部材（３２）の一端部同士は、ボルト（５０）を締め付けることによって連結され、ボルト（５０）が締め付けられるに伴って、弾性部材（４０）が圧縮変形されることを特徴とする。
【００１４】
これによれば、ボルト（５０）の締め付け荷重を調整することで、電動ポンプ（２０）が取付部材（１０）から不必要な圧縮荷重を受けて変形等してしまうことなく、適切に電動ポンプ（２０）を保持できる。さらに、弾性部材（４０）が不必要に圧縮変形されて剛性が高くなってしまうことを抑制できるので、電動ポンプ（２０）の振動が取付部材（３０）に伝達されることを適切に抑制できる。
【００１５】
請求項５に記載の発明では、請求項４に記載の電動ポンプの取付構造において、ボルト（５０）によって締め付けられることによって連結される湾曲部材（３１）の一端部（３１ｃ）および連結部材（３２）の一端部（３２ｂ）のうち少なくとも一方には、他方に仮固定される仮固定用爪部（３２ｅ）が形成されていることを特徴とする。これによれば、容易にボルト（５０）を締め付けることできる。
【００１６】
請求項６に記載の発明では、請求項３ないし５のいずれか１つに記載の電動ポンプの取付構造において、湾曲部材（３１）および連結部材（３２）の他端部同士は、湾曲部材（３１）の他端部（３１ｄ）および連結部材（３２）の他端部のうち少なくとも一方に設けられた係止用穴（３１ｇ）に、他方に設けられた係止用爪（３２ｃ）を係止することによって連結されていることを特徴とする。
【００１７】
これによれば、湾曲部材（３１）および連結部材（３２）の双方の端部同士を、ボルト（５０）を締め付けることによって連結する場合に対して、電動ポンプ（２０）を取付対象部材（１０）に取り付ける際の作業性を向上できる。
【００２６】
請求項７に記載の発明のように、請求項１または２に記載の電動ポンプの取付構造において、取付部材（３０）は、電動ポンプ（２０）の外周形状に沿って湾曲した環状を一体的に形成した１つの部材にて構成してもよい。
【００３０】
請求項８に記載の発明では、請求項１ないし７のいずれか１つに記載の電動ポンプの取付構造において、取付部材（３０）および弾性部材（４０）は、互いに接合されて一体的に形成されていることを特徴とする。これにより、より一層、電動ポンプ（２０）を取付対象部材（１０）に取り付ける際の作業性を向上できる。
【００３１】
請求項９に記載の発明では、請求項１ないし８のいずれか１つに記載の電動ポンプの取付構造において、弾性部材（４０）のうち電動ポンプ（２０）側の面には、電動ポンプ（２０）側に向かって突出するように形成されたポンプ側接触部（４４）が設けられ、さらに、弾性部材（４０）のうち取付部材（３０）側の面には、取付部材（３０）側に向かって突出するように形成された取付部材側接触部（４５）が設けられ、ポンプ側接触部（４４）および取付部材側接触部（４５）は、電動ポンプ（２０）の軸方向に垂直な方向から見たときに、互いに重合しないように配置されていることを特徴とする。
【００３２】
これによれば、ポンプ側接触部（４４）および取付部材側接触部（４５）を、電動ポンプ（２０）の軸方向に垂直な方向から見たときに、互いに重合しないように配置しているので、弾性部材（４０）の弾性係数を小さくできるとともに、電動ポンプ（２０）から取付部材（３０）への振動伝達距離を長くすることができる。その結果、電動ポンプ（２０）の振動が取付対象部材に伝達されることを効果的に抑制できる。
請求項１０に記載の発明のように、請求項１ないし９のいずれか１つに記載の電動ポンプの取付構造において、弾性部材（４０）は、電動ポンプ（２０）の外周側と取付部材（３０）の内周側との間に配置された１つの円環状の部材にて構成してもよい。
【００３３】
なお、この欄および特許請求の範囲で記載した各手段の括弧内の符号は、後述する実施形態に記載の具体的手段との対応関係を示す一例である。
【図面の簡単な説明】
【００３４】
【図１】第１実施形態の電動ポンプの取付構造を示す外観斜視図である。
【図２】第１実施形態の電動ポンプの軸方向断面図である。
【図３】第１実施形態における図２のＡ−Ａ断面図である。
【図４】（ａ）は第１実施形態のフリーフロートパッキンの正面図であり、（ｂ）は（ａ）の上面図であり、（ｃ）は（ａ）の側面図である。
【図５】第２実施形態の電動ポンプおよびフリーフロートパッキンの斜視図である。
【図６】第３実施形態における図２のＡ−Ａ断面図である。
【図７】第４実施形態の電動ポンプの軸方向断面図である。
【発明を実施するための形態】
【００３５】
（第１実施形態）
図１〜４により、本発明の第１実施形態を説明する。図１は、本実施形態の取付対象部材であるブラケット１０に取り付けられた状態の電動ポンプ２０の外観斜視図であり、本実施形態の電動ポンプ２０の取付構造を示している。また、図２は、ブラケット１０に取り付けられた状態の電動ポンプ２０の軸方向断面図であり、図３は、図２のＡ−Ａ断面図である。
【００３６】
ブラケット１０は、金属（例えば、鉄、ステンレス）で形成されて、電動ポンプ２０が取り付けられた状態で、ハイブリッド車両本体に固定される車両用の固定部材である。なお、ハイブリッド車両とは、内燃機関（エンジン）および走行用電動モータから車両走行用の駆動力を得ることができる車両である。
【００３７】
電動ポンプ２０は、走行用電動モータに電力を供給するインバータを冷却するための冷却水を循環させる冷却水回路において、冷却水（流体）を吸入して圧送するものである。具体的には、電動ポンプ２０は、電力を供給されることによって回転する電動モータ２１、および電動モータ２１から回転駆動力を得て冷却水を吸入して圧送するポンプ部２２を樹脂製のハウジング２３内に収容して構成したものである。
【００３８】
本実施形態では、電動モータ２１として直流モータを採用し、ポンプ部２２として羽根車（インペラ）をハウジング２３内に形成されたポンプ室内で回転させることで冷却水に運動エネルギを与えるターボポンプを採用している。もちろん、電動モータ２１として交流モータを採用してもよいし、ポンプ部２２として他の形式のポンプを採用してもよい。
【００３９】
ハウジング２３は、電動モータ２１の回転軸方向に同軸状に延びる略円筒形状に形成されている。従って、電動ポンプ２０の軸方向は、電動モータ２１の回転軸方向に一致している。さらに、ハウジング２３のうち電動モータ２１が収容される側の軸方向垂直端面には、外部から電動モータ２１へ電源を供給するための電源接続用のコネクタ２４が設けられている。
【００４０】
一方、ハウジング２３のうちポンプ部２２が収容される側の軸方向垂直端面には、ポンプ部２２へ吸入される冷却水が流通する吸入ホースが接続される吸入パイプ２５、およびポンプ部２２から吐出された冷却水が流通する吐出ホースが接続される吐出パイプ２６が設けられている。
【００４１】
さらに、ハウジング２３の円筒状の外周表面のうち電動モータ２１が収容されてコネクタ２４が設けられる側には、ハウジング２３の径方向、すなわち外周側に向かって突出する第１ポンプ部側突出部２７が設けられている。この第１ポンプ部側突出部２７は、四角柱状に形成されて、電動ポンプ２０の軸方向から見たときに、軸に対して対象となる２箇所の位置に設けられている。
【００４２】
また、ハウジング２３の円筒状の外周表面のうちポンプ部２２が収容される側には、ハウジング２３の径方向に向かって突出する第２ポンプ部側突出部２８が設けられている。この第２ポンプ部側突出部２８は、ハウジング２３の円筒状の外周表面の全周にわたって環状に設けられている。
【００４３】
このような形状の第２ポンプ部側突出部２８は、ハウジング２３を電動モータ側ハウジングと電動ポンプ側ハウジングとに分割して形成する場合、電動モータ側ハウジングと電動ポンプ側ハウジングとの結合部位に設けられるシール部を利用して形成することができる。
【００４４】
より具体的には、電動モータ側ハウジングと電動ポンプ側ハウジングとの結合部位のシール部として、シール部材（例えば、Ｏリング）を介在させるシール構造を採用する。そして、このシール部材が収容される部位を、ハウジング２３の円筒状の外周部分と比較して大径に形成することで、第２ポンプ部側突出部２８として利用することができる。
【００４５】
次に、電動ポンプ２０をブラケット１０に固定する取付部材３０について説明する。本実施形態の取付部材３０は、ブラケット１０と同じ材質の金属によって形成された湾曲部材３１および連結部材３２の２つの部材の両端部同士を連結することによって帯状に形成されている。
【００４６】
さらに、取付部材３０は、ハウジング２３の円筒状の外周側のうち、第１ポンプ部側突出部２７および第２ポンプ部側突出部２８の間の胴部の外周側に、巻き付けられるように環状に配置され、その内周側と電動ポンプ２０の外周側との間にフリーフロートパッキン４０を介在させた状態で、電動ポンプ２０を保持する機能を果たす。
【００４７】
湾曲部材３１は、ブラケット１０に固定されて電動ポンプ２０の外周形状に沿って湾曲した部材である。より具体的には、図２、３に示すように、湾曲部材３１には、電動ポンプ２０の外周形状に沿って湾曲した円弧状湾曲部３１ａ、ブラケット１０に固定された固定部３１ｂ、および円弧状湾曲部３１ａの両端部から延設されて連結部材３２に連結される第１、第２湾曲部材側連結部３１ｃ、３１ｄが設けられている。
【００４８】
円弧状湾曲部３１ａは、電動ポンプ２０の軸方向から見たときに略半円弧状に湾曲して、電動ポンプ２０の外周形状に適合する形状に形成された部位である。また、円弧状湾曲部３１ａには、その表裏を貫通する複数（本実施形態では４つ）の貫通穴３１ｅが設けられている。この貫通穴３１ｅは、ハウジング２３の周方向に長軸を有する長穴形状に形成され、後述するフリーフロートパッキン４０の弾性部材側突出部４３に当接する取付部材側当接部として機能する。
【００４９】
さらに、円弧状湾曲部３１ａには、後述するフリーフロートパッキン４０の切り欠き穴部４１に適合するように設けられた切り欠き部３１ｈが形成されている。そして、この切り欠き部３１ｈが形成されていることによって、電動ポンプ２０の第１ポンプ部側突出部２７と湾曲部材３１が直接接触してしまうことを防止している。
【００５０】
固定部３１ｂは、円弧状湾曲部３１ａからブラケット１０へ向かって延びるように形成されて円弧状湾曲部３１ａとブラケット１０とを連結する部位である。具体的には、固定部３１ｂは、ブラケット１０に対して溶接等の接合手段によって固定されている。
【００５１】
第１湾曲部材側連結部３１ｃは、円弧状湾曲部３１ａの円周方向の一端側に設けられ、電動ポンプ２０の軸方向から見たときに、ハウジング２３の径方向に延びる平面状に形成されている。なお、第１湾曲部材側連結部３１ｃは、水平方向に対して４５度以上（本実施形態では、４５度）上方に向かって延びる平面状に形成するとよい。
【００５２】
さらに、第１湾曲部材側連結部３１ｃには、その表裏を貫通するボルト穴３１ｆが形成されている。このボルト穴３１ｆは、湾曲部材３１の一端側と連結部材３２の一端側とをボルト締めにて連結する際に用いられる。
【００５３】
第２湾曲部材側連結部３１ｄは、円弧状湾曲部３１ａの円周方向の他端側に設けられ、電動ポンプ２０の軸方向から見たときに、円弧状湾曲部３１ａの接線方向に延びる平面状に形成されている。さらに、第２湾曲部材側連結部３１ｄには、その表裏を貫通する係止用穴３１ｇが形成されている。この係止用穴３１ｇには、連結部材３２の他端側に形成された係止用爪３２ｃが係止される。
【００５４】
従って、湾曲部材３１は、電動ポンプ２０の軸方向から見たときに略Ｕ字状に湾曲した形状に形成されている。
【００５５】
連結部材３２は、電動ポンプ２０の外周形状に沿って湾曲して湾曲部材３１の長手方向の両端部（具体的には、第１、第２湾曲部材側連結部３１ｃ、３１ｄ）を連結する部材である。つまり、湾曲部材３１および連結部材３２の両端部同士が連結部材３２によって連結されることで、取付部材３０全体として、電動ポンプ２０の軸方向から見たときに環状に形成される。
【００５６】
より具体的には、連結部材３２には、電動ポンプ２０の外周形状に沿って湾曲した湾曲部３２ａ、湾曲部３２ａの一端部から延設されて第１湾曲部材側連結部３１ｃに連結される連結部材側連結部３２ｂ、および湾曲部３２ａの他端部に形成されて第２湾曲部材側連結部３１ｄの係止用穴３１ｇに係止される係止用爪３２ｃが設けられている。
【００５７】
湾曲部３２ａは、電動ポンプ２０の軸方向から見たときに円弧状に湾曲して、電動ポンプ２０の外周形状に適合する形状に形成された部位である。また、湾曲部３２ａには、湾曲部材３１の切り欠き部３１ｈおよび貫通穴３１ｅと同様の切り欠き部３２ｇおよび複数（本実施形態では２つ）の貫通穴３２ｄが設けられている。
【００５８】
連結部材側連結部３２ｂは、湾曲部３２ａの長手方向の一端側に設けられ、電動ポンプ２０の軸方向から見たときに、ハウジング２３の径方向に延びる平面状に形成されている。より詳細には、連結部材側連結部３２ｂは、湾曲部材３１の第１湾曲部材側連結部３１ｃと平行に延びて重合する平面状に形成されている。
【００５９】
さらに、連結部材側連結部３２ｂには、第１湾曲部材側連結部３１ｃと同様のボルト穴３２ｆが形成されているとともに、図１に示すように、第１湾曲部材側連結部３１ｃに対して連結部材側連結部３２ｂを仮固定するための仮固定用爪部３２ｅが形成されている。この仮固定用爪部３２ｅは、第１湾曲部材側連結部３１ｃの外周側に引っかかるように折り曲げられた形状に形成されている。
【００６０】
次に、フリーフロートパッキン４０について説明する。フリーフロートパッキン４０は、帯状の熱可塑性エラストマーで形成された弾性変形可能な弾性部材である。さらに、フリーフロートパッキン４０は、取付部材３０の内周側と電動ポンプ２０の外周側との間に挟持されて、電動ポンプ２０にて発生した振動が取付部材３０へ伝達されることを抑制する機能を果たす。
【００６１】
また、本実施形態のフリーフロートパッキン４０は、取付部材３０のうち湾曲部材３１の内周側と電動ポンプ２０の外周側との間で電動ポンプ２０の胴部に巻き付けられるように配置される第１パッキン４０ａと、連結部材３２の内周側と電動ポンプ２０の外周側との間で電動ポンプ２０の胴部に巻き付けられるように配置される第２パッキン４０ｂとの２つの部材に分割されている。
【００６２】
この第１、第２パッキン４０ｂは、その長手方向の長さ、および弾性部材側突出部４３の数が異なるものの、その基本的構成は同様である。具体的には、本実施形態の第１パッキン４０ａの長手方向の長さは第２パッキン４０ｂの長手方向より長く、第１パッキン４０ａの弾性部材側突出部４３の数は４つであり、第２パッキン４０ｂの弾性部材側突出部４３の数は２つである。
【００６３】
そこで、以下の説明では、図４を用いて、第１パッキン４０ａについて説明する。なお、図４（ａ）は、フリーフロートパッキン４０（第１パッキン４０ａ）を湾曲させることなく展開した際の正面図であり、（ｂ）は（ａ）の上面図であり、（ｃ）は（ａ）の側面図である。
【００６４】
フリーフロートパッキン４０には、取付部材３０の内周側と電動ポンプ２０の外周側との間に挟持された際に、第１ポンプ部側突出部２７が嵌め込まれて第１ポンプ部側突出部２７に当接する凹形状の切り欠き穴部４１、第２ポンプ部側突出部２８に当接する側壁面４２、および電動ポンプ２０の外周側に向かって突出して取付部材３０の貫通穴３１ｅ、３２ｄに嵌め込まれる弾性部材側突出部４３が設けられている。
【００６５】
切り欠き穴部４１は、フリーフロートパッキン４０のうち第１ポンプ部側突出部２７側の側面に、その表裏を貫通するように形成された穴部である。そして、その内壁面が四角柱状に形成された第１ポンプ部側突出部２７の３つの側面と当接するように形成されている。従って、本実施形態の切り欠き穴部４１は、弾性部材側当接部としての機能を果たす。弾性部材側突出部４３は、電動ポンプ２０の外周側に向かって頂点を有する略三角錐形状の頂部と、この頂部よりも外径の小さい円柱形状の根本部を有する、いわゆるキノコ形状に形成されている。
【００６６】
さらに、フリーフロートパッキン４０のうち電動ポンプ２０側の面には、電動ポンプ２０の軸方向に延びるとともに電動ポンプ２９側に向かって突出するように形成された複数のポンプ側接触部４４が設けられ、さらに、フリーフロートパッキン４０のうち取付部材３０側の面には、電動ポンプ２０の軸方向に延びるともに取付部材３０側に向かって突出するように形成された複数の取付部材側接触部４５が設けられている。
【００６７】
そして、このポンプ側接触部４４および取付部材側接触部４５は、図４（ｂ）の矢印で示すフリーフロートパッキン４０の表裏方向から見たときに、互いに重合しないように配置されている。従って、フリーフロートパッキン４０が取付部材３０の内周側と電動ポンプ２０の外周側との間に配置された際には、ポンプ側接触部４４および取付部材側接触部４５は、電動ポンプ２０の軸方向に垂直な方向から見たときに、互いに重合しないように配置されている。
【００６８】
次に、本実施形態の電動ポンプ２０を、取付部材３０およびフリーフロートパッキン４０を用いて、ブラケット１０に取り付ける取付方法を説明する。
【００６９】
まず、取付部材３０の湾曲部材３１にフリーフロートパッキン４０の第１パッキン４０ａを取り付ける。具体的には、第１パッキン４０ａの弾性部材側突出部４３を貫通穴３１ｅへ嵌め込む。前述の如く、弾性部材側突出部４３の頂部が略三角錐形状となっているので、弾性部材側突出部４３が貫通穴３１ｅから抜けてしまうことを防止でき、第１パッキン４０ａを湾曲部材３１に対して固定することができる。
【００７０】
次に、湾曲部材３１および第１パッキン４０ａの内周側に電動ポンプ２０を配置する。具体的には、電動ポンプ２０の第１ポンプ部側突出部２７を第１パッキン４０ａの切り欠き穴部４１に嵌め込むとともに、第２ポンプ部側突出部２８を第１パッキン４０ａの側壁面４２に当接させるように電動ポンプ２０を配置する（ポンプ配置工程）。
【００７１】
この際、第１パッキン４０ａの一端と他端が、電動ポンプ２０を軸に対して略対象となる位置に位置付けられて、電動ポンプ２０の軸方向から見たときに、ハウジング２３の外周のうち、略半周分が第１パッキン４０ａの内周側に当接した状態となる。これにより、電動ポンプ２０が、湾曲部材３１および第１パッキン４０ａの内周側に仮保持される。
【００７２】
次に、第１パッキン４０ａおよび湾曲部材３１と同様に、予め第２パッキン４０ｂを取り付けた連結部材３２を湾曲部材３１に仮固定する。具体的には、連結部材３２の係止用爪３２ｃを、湾曲部材３１の係止用穴３１ｇに係止した状態で、連結部材３２を電動ポンプ２０の外周に沿うように配置する。
【００７３】
この際、ポンプ配置工程と同様に、電動ポンプ２０の第１ポンプ部側突出部２７を第２パッキン４０ｂの切り欠き穴部４１に嵌め込むとともに、第２ポンプ部側突出部２８を第２パッキン４０ｂの側壁面４２に当接させるように配置する。そして、連結部材３２の仮固定用爪部３２ｅを湾曲部材３１の第１湾曲部材側連結部３１ｃの外周側に引っかけることによって仮固定する（ポンプ仮固定工程）。
【００７４】
次に、ボルト５０を、湾曲部材３１のボルト穴３１ｆおよび連結部材３２のボルト穴３２ｆを貫通させて、ナット５１に締め付ける。これにより、湾曲部材３１と連結部材３２とを連結するとともに、取付部材３０の内周側と電動ポンプ２０の外周側との間に、フリーフロートパッキン４０を圧縮変形させた状態で挟持する（ポンプ取付工程）。
【００７５】
これにより、電動ポンプ２０がブラケット１０に取り付けられる。本実施形態の電動ポンプ２０の取付構造によれば、以下のような優れた効果を得ることができる。
【００７６】
（Ａ）本実施形態では、取付部材３０を構成する湾曲部材３１および連結部材３２を、電動ポンプ２０の外周側に巻き付けるように環状に連結するだけで、電動ポンプ２０をブラケット１０に取り付けることができる。従って、取付部材３０を電動ポンプ２０およびブラケット１０の双方に取り付ける場合に対して、電動ポンプ２０をブラケット１０に取り付ける際の作業性を向上できる。
【００７７】
さらに、湾曲部材３１が電動ポンプ２０の外周形状に沿って湾曲しており、フリーフロートパッキン４０が第１ポンプ部側突出部２７を嵌め込む切り欠き穴部４１および第２ポンプ部側突出部２８を当接させる側壁面４２を有しているので、ポンプ配置工程において、電動ポンプ２０の自重あるいは湾曲部材３１と電動ポンプとの嵌合状態を利用して電動ポンプ２０を湾曲部材３１に仮保持することができる。
【００７８】
従って、湾曲部材３１および連結部材３２を連結する際に、取付作業者が電動ポンプ２０を支える必要がなくなり、電動ポンプ２０をブラケット１０に取り付ける際の作業性を効果的に向上できる。
【００７９】
さらに、湾曲部材３１および連結部材３２が連結されることによって、フリーフロートパッキン４０が電動ポンプ２０の外周側と取付部材３０の内周側との間に、圧縮変形した状態で狭持されているので、電動ポンプ２０と取付部材３０とを非接触状態とし、電動ポンプ２０の振動が取付部材３０に伝達されることを抑制できる。延いては、電動ポンプ２０の振動が取付部材３０を介して、ブラケット１０に伝達されることを抑制できる。
【００８０】
（Ｂ）本実施形態では、ポンプ取付工程において、湾曲部材３１および連結部材３２の一端部同士（具体的には、第１湾曲部材側連結部３１ｃおよび連結部材側連結部３２ｂ）を連結する際に、ボルト５０を締め付けることによって連結し、一方、他端部同士については、連結部材３２の係止用爪３２ｃを湾曲部材３１の係止用穴３１ｇに係止することによって連結している。
【００８１】
従って、双方の端部同士を、ボルト５０を締め付けることによって連結する場合に対して、電動ポンプ２０をブラケット１０に取り付ける際の作業性を効果的に向上できる。この際、第１湾曲部材側連結部３１ｃおよび連結部材側連結部３２ｂがハウジング２３の径方向で、かつ、水平方向に対して４５度程度上方に向かって延びる平面状に形成されているので、電動ポンプ２０の本体がボルト５０に干渉することも回避できる。
【００８２】
さらに、湾曲部材３１および連結部材３２の一端部同士を、ボルト５０を締め付けることによって連結しているので、ボルト５０の締め付け荷重を調整することで、電動ポンプ２０に不必要な圧縮荷重をかけてしまうことなく適切に電動ポンプ２０を保持できる。同様に、フリーフロートパッキン４０が不必要に圧縮変形されて剛性が高くなってしまうことを抑制できるので、電動ポンプ２０の振動がブラケット１０に伝達されてしまうことを適切に抑制できる。
【００８３】
しかも、ポンプ仮固定工程において、湾曲部材３１および連結部材３２の一端部同士をボルト５０によって連結する際に、仮固定用爪部３２ｅによって湾曲部材３１および連結部材３２を仮固定しているので、容易にボルト５０を締め付けることができ、電動ポンプ２０をブラケット１０に取り付ける際の作業性をより一層効果的に向上できる。
【００８４】
（Ｃ）本実施形態では、電動ポンプ２０の第１ポンプ部側突出部２７がフリーフロートパッキン４０の切り欠き穴部４１に嵌め込まれた状態で当接し、第２ポンプ部側突出部２８がフリーフロートパッキン４０の側壁面４２に当接し、フリーフロートパッキン４０の弾性部材側突出部４３が取付部材３０の貫通穴３１ｅ、３２ｄに嵌め込まれた状態で当接している。
【００８５】
従って、取付部材３０を環状に連結する際に、電動ポンプ２０および取付部材３０に対して、フリーフロートパッキン４０の位置決めが容易になるとともに、電動ポンプ２０および取付部材３０に対するフリーフロートパッキン４０の位置ずれを防止することができるので、電動ポンプ２０をブラケット１０に取り付ける際の作業性を効果的に向上できる。
【００８６】
さらに、前述の如く、電動ポンプ２０および取付部材３０に対するフリーフロートパッキン４０の位置ずれを防止できるので、フリーフロートパッキン４０を電動ポンプ２０の外周側と取付部材３０の内周側との間に確実に狭持できる。従って、電動ポンプ２０の振動が取付部材３０に伝達されることを効果的に抑制できる。
【００８７】
また、本実施形態では、四角柱状の第１ポンプ部側突出部２７の３つの側面とフリーフロートパッキン４０の切り欠き穴部４１の内周面が当接しているので、電動ポンプ２０をブラケット１０に取り付けた後も、フリーフロートパッキン４０および取付部材３０が電動ポンプ２０の周方向へずれてしまうことを抑制できる。
【００８８】
しかも、第２ポンプ部側突出部２８がフリーフロートパッキン４０の側壁面４２に当接して、フリーフロートパッキン４０および取付部材３０が第１ポンプ部側突出部２７と第２ポンプ部側突出部２８との間に配置されるので、電動ポンプ２０をブラケット１０に取り付けた後も、フリーフロートパッキン４０および取付部材３０が電動ポンプ２０の軸方向へずれてしまうことを抑制できる。
【００８９】
（Ｄ）本実施形態では、フリーフロートパッキン４０のポンプ側接触部４４および取付部材側接触部４５を、電動ポンプ２０の軸方向に垂直な方向から見たときに、互いに重合しないように配置しているので、フリーフロートパッキン４０の弾性係数を小さくできるとともに、電動ポンプ２０から取付部材３０への振動伝達距離を長くすることができる。その結果、電動ポンプ２０の振動が取付部材３０に伝達されることを抑制できる。
【００９０】
本実施形態では、以上の（Ａ）〜（Ｄ）の効果によって、電動ポンプ２０の振動がブラケット１０を介して車室内に伝達されてしまうことの効果的な抑制と、電動ポンプ２０をブラケット１０に取り付ける際の作業性の効果的な向上との両立を図ることができる。
【００９１】
（Ｅ）さらに、電動ポンプ２０に対して、フリーフロートパッキン４０および取付部材３０が周方向および軸方向の双方にずれてしまうことが抑制されているので、電動ポンプ２０のコネクタ２４に電線を結線する際、あるいは、吸入パイプ２５および吐出パイプ２６に吸入ホースおよび吐出ホースを接続する際に電動ポンプ２０が傾いてしまうことを抑制できるので、これらの接続作業についても作業性を向上できる。
【００９２】
（Ｆ）さらに、電動ポンプ２０に対して、フリーフロートパッキン４０および取付部材３０が周方向および軸方向の双方にずれてしまうことが抑制されているので、ブラケット１０を車両に固定する際に、電動ポンプ２０の軸方向を垂直方向あるいは水平方向のいずれの方向に向けても、電動ポンプ２０がブラケット１０から脱落することを防止できる。
【００９３】
（第２実施形態）
第１実施形態では、フリーフロートパッキン４０を第１パッキン４０ａおよび第２パッキン４０ａの２つの部材で構成した例を説明したが、本実施形態では、図５に示すように、フリーフロートパッキン４０を１つの部材で円環状（円筒状）に形成した例を説明する。その他の構成は、第１実施形態と同様である。
【００９４】
なお、図５は、本実施形態の電動ポンプ２０およびフリーフロートパッキン４０の組付け状態を説明するための斜視図である。また、図５では、第１実施形態と同一もしくは均等部分には同一の符号を付している。このことは、以下の図面においても同様である。また、図５では、図示の明確化のためにフリーフロートパッキン４０のポンプ側接触部４４および取付部材側接触部４５の記載を省略している。
【００９５】
本実施形態では、フリーフロートパッキン４０を１つの部材で円環状（円筒状）に形成しているので、第１実施形態に対して、本実施形態の電動ポンプ２０をブラケット１０に取り付ける際の取付方法が異なる。
【００９６】
具体的には、まず、弾性変形可能に形成されたフリーフロートパッキン４０の内径を広げて、電動ポンプ２０の胴部に嵌め込む。この際、電動ポンプ２０の第１ポンプ部側突出部２７をフリーフロートパッキン４０の切り欠き穴部４１に嵌め込むとともに、第２ポンプ部側突出部２８をフリーフロートパッキン４０の側壁面４２に当接させるように電動ポンプ２０の胴部に嵌め込む（パッキン配置工程）。
【００９７】
次に、フリーフロートパッキン４０が嵌め込まれた電動ポンプ２０を、取付部材３０の湾曲部材３１に取り付ける。この際、フリーフロートパッキン４０の弾性部材側突出部４３を湾曲部材３１の貫通穴３１ｅへ嵌め込む。これにより、電動ポンプ２０が湾曲部材３１に仮固定される（ポンプ配置工程）。
【００９８】
次に、湾曲部材３１に仮固定された電動ポンプ２０に、連結部材３２を仮固定する。この際、フリーフロートパッキン４０の弾性部材側突出部４３を連結部材３２の貫通穴３２ｄへ嵌めこみながら、連結部材３２の係止用爪３２ｃを、湾曲部材３１の係止用穴３１ｇに係止した状態で、連結部材３２の仮固定用爪部３２ｅを湾曲部材３１の第１湾曲部材側連結部３１ｃの外周側に引っかけて仮固定する（ポンプ仮固定工程）。
【００９９】
この後の工程は、第１実施形態のポンプ取付工程と同様である。従って、本実施形態の電動ポンプ２０の取付構造においても、第１実施形態と同様の効果を得ることができる。
【０１００】
（第３実施形態）
第１実施形態では、取付部材３０を湾曲部材３１および連結部材３２の２つの分割可能な部材で構成した例を説明したが、本実施形態では、図６に示すように、湾曲部材３１および連結部材３２を一体に結合して取付部材３０を１つの部材で形成した例を説明する。なお、図６は、本実施形態の電動ポンプ２０における図２のＡ−Ａ断面図であり、第１実施形態の図３に対応する図面である。
【０１０１】
本実施形態の取付部材３０は、第１実施形態の湾曲部材３１における第２湾曲部材側連結部３１ｄの係止用穴３１ｇ、および連結部材３２の係止用爪３２ｃを廃止して、湾曲部材３１および連結部材３２の他端部同士を折り曲げ可能に連結するヒンジ部３０ａを有している。その他の構成は、第１実施形態と同様である。
【０１０２】
従って、本実施形態では、湾曲部材３１と連結部材３２が離れる側にヒンジ部３０ａを折り曲げた状態の取付部材３０に対して、予め第１実施形態と同様に、第１、第２パッキン４０ａ、４０ｂを取り付けておく。
【０１０３】
次に、第１実施形態と同様のポンプ配置工程を行った後、連結部材３２を湾曲部材３１に仮固定する。具体的には、湾曲部材３１と連結部材３２が近づく側にヒンジ部３０ａを折り曲げて、連結部材３２を電動ポンプ２０の外周に沿うように配置し、連結部材３２の仮固定用爪部３２ｅを湾曲部材３１の第１湾曲部材側連結部３１ｃの外周側に引っかけて仮固定する（ポンプ仮固定工程）。
【０１０４】
この後の工程は、第１実施形態のポンプ取付工程と同様である。従って、本実施形態の電動ポンプ２０の取付構造においても、第１実施形態と同様の効果を得ることができる。
【０１０５】
本実施形態では、湾曲部材３１と連結部材３２とを一体に形成しているので、ポンプ仮固定工程における連結部材３２の脱落等を防止できるとともに、取付部材３０の部品点数の低減を図ることができる。さらに、本実施形態の取付部材３０は、第２実施形態の取付構造に適用してもよい。
【０１０６】
（第４実施形態）
第１実施形態では、第１ポンプ部側突出部２７を取付部材３０の電動モータ２１側に配置し、フリーフロートパッキン４０に切り欠き穴部４１を設け、さらに、取付部材３０に切り欠き部３１ｈ、３２ｇを設けた例を説明したが、本実施形態では、図７に示すように、第１ポンプ部側突出部２７を、取付部材３０のうち電動ポンプ２０の軸方向略中央部に配置した例を説明する。
【０１０７】
なお、図７は、本実施形態の電動ポンプ２０の軸方向断面図であり、第１実施形態の図２に対応する図面である。
【０１０８】
本実施形態のフリーフロートパッキン４０では、フリーフロートパッキン４０のうち電動ポンプ２０の軸方向略中央部に、その表裏を貫通する貫通穴４１ａを設けている。従って、貫通穴４１ａの内周側は、四角柱状に形成された第１ポンプ部側突出部２７の４つの側面と当接している。
【０１０９】
また、フリーフロートパッキン４０の貫通穴４１ａに適合するように設けられた穴部３１ｈ’、３２ｇ’を取付部材３０の湾曲部材３１および連結部材３２に形成している。そして、この穴部３１ｈ’、３２ｇ’が形成されていることによって、電動ポンプ２０の第１ポンプ部側突出部２７と取付部材３０が直接接触してしまうことを防止している。その他の構成は、第１実施形態と同様である。
【０１１０】
従って、本実施形態の電動ポンプ２０の取付構造においても、第１実施形態と同様の効果を得ることができる。さらに、本実施形態では、フリーフロートパッキン４０の貫通穴４１ａが第１ポンプ部側突出部２７の４つの側面と当接しているので、電動ポンプ２０をブラケット１０に取り付けた後も、フリーフロートパッキン４０および取付部材３０が電動ポンプ２０の周方向および軸方向にずれてしまうことを抑制できる。
【０１１１】
（他の実施形態）
本発明は上述の実施形態に限定されることなく、以下のように種々変形可能である。
【０１１２】
（１）上述の各実施形態では、本発明の電動ポンプの取付構造を、冷却水循環用の電動ポンプを車両に取り付けるために適用した例を説明したが、本発明の適用はこれに限定されない。例えば、オイル循環用の電動ポンプを車両に取り付けるために適用してもよい。さらに、製造工場等で各種液体圧送用の電動ポンプを取り付けるために適用してもよい。
【０１１３】
（２）上述の各実施形態では、取付部材３０の湾曲部材３１および連結部材３２の一端部同士を連結する際に、ボルト５０をナット５１に締め付けることによって連結した例を説明したが、このナット５１を予め取付部材３０の湾曲部材３１うちの一方に接合しておいてもよい。
【０１１４】
さらに、湾曲部材３１および連結部材３２の一端部同士を他端部同士と同様に、湾曲部材３１および連結部材３２のうち一方に設けられた係止用穴に他方に設けられた係止用爪にて係止することによって連結してもよい。
【０１１５】
（３）上述の各実施形態では、フリーフロートパッキン４０を熱可塑性エラストマーで形成した例を説明したが、もちろんフリーフロートパッキン４０をブチルゴム、シリコン等で形成してもよい。
【０１１６】
さらに、フリーフロートパッキン４０を成形する際に、取付部材３０をインサート成型して一体的に成形してもよい。また、接着等の接合手段によって取付部材３０およびフリーフロートパッキン４０を予め接合してもよい。この場合は、取付部材３０の貫通穴３１ｅ、３２ｄ、およびフリーフロートパッキン４０の弾性部材側突出部４３を廃止しても取付部材３０およびフリーフロートパッキン４０の位置ずれを防止できる。
【０１１７】
（４）上述の実施形態では、連結部材３２側に仮固定用爪部３２ｅを設けた例を説明したが、もちろん、湾曲部材３１側に仮固定用爪部３２ｅを設けてもよい。同様に、上述の実施形態では、湾曲部材３１側に係止用穴３１ｇを設け、連結部材３２側に係止用爪３２ｃを設けた例を説明したが、湾曲部材３１側に係止用爪を設け、連結部材３２側に係止用穴を設けてもよい。
【符号の説明】
【０１１８】
１０            ブラケット
２０            電動ポンプ
２７、２８      第１、第２ポンプ部側突出部
３０            取付部材
３１            湾曲部材
３１ｃ、３１ｄ  第１、第２湾曲部材側連結部
３１ｅ          貫通穴
３１ｇ          係止用穴
３２            連結部材
３２ｂ          連結部材側連結部
３２ｃ          係止用爪
３２ｄ          貫通穴
３２ｅ          仮固定用爪部
４０            フリーフロートパッキン
４１            切り欠き穴部
４２            側壁面
４３            弾性部材側突出部
４４            ポンプ側接触部
４５            取付部材側接触部
５０            ボルト
【図１】
0005446545.tif 000002
【図２】
0005446545.tif 000003
【図３】
0005446545.tif 000004
【図４】
0005446545.tif 000005
【図５】
0005446545.tif 000006
【図６】
0005446545.tif 000007
【図７】
0005446545.tif 000008